(57)【要約】【課題】長さの異なる複数種類の既存の蛍光灯との互換性があり、しかも、輸送時、保管時等における収納効率を向上させることができる。【解決手段】蛍光灯器具に設けられた一対のソケットのそれぞれに着脱可能になった一対の口金２０に、光源部１０の両側の各端部がそれぞれ取り付けられている。光源部１０は、ＬＥＤ光源１２ａをそれぞれ有する複数の光源ユニット１１を備えており、隣接する光源ユニット１１同士が連結ピン１２によって相互に回動可能に連結されている。複数の光源ユニット１１は、隣接する光源ユニット１１同士が相互に回動させて所定の屈曲状態とすることにより、光源部１０はジグザグ状に変形し、各口金２０同士が相互に接近した状態になる。【選択図】図１
2011065873.tif 000002
【特許請求の範囲】
【請求項１】
発光素子をそれぞれ有する複数の光源ユニットが直列状態に配列されて、隣接する光源ユニット同士が回動可能に連結された光源部と、
当該光源部の両側の端部にそれぞれ取り付けられており、照明器具における相互に対向配置された一対のソケットのそれぞれに着脱可能になった一対の口金と、を備え、
前記光源部は、前記光源ユニット直列状態から隣接する光源ユニット同士を回動させることにより、前記口金同士が相互に離間および接近することを特徴とする照明光源装置。
【請求項２】
前記光源ユニットの全てが一直線に配列されることによって、前記口金同士の間隔が最も長くなることを特徴とする請求項１に記載の照明光源装置。
【請求項３】
隣接する前記光源ユニット同士が連結ピンによって相互に回動可能に連結されていることを特徴とする請求項１または２に記載の照明光源装置。
【請求項４】
前記光源部の両側端部に位置するそれぞれの光源ユニットが前記各口金に対して連結ピンによって回動可能に連結されていることを特徴とする請求項１〜３のいずれか一項に記載の照明光源装置。
【請求項５】
前記光源部がジグザグ状に変形して前記口金同士が接近することを特徴とする請求項１〜４のいずれか一項に記載の照明光源装置。
【請求項６】
前記光源部と同一の構成の光源部が、さらに、前記両口金間に設けられていることを特徴とする請求項１〜４のいずれか一項に記載の照明光源装置。
【請求項７】
前記口金同士の間隔が最も長くなることによって、前記各光源部が平行になることを特徴とする請求項６に記載の照明光源装置。
【請求項８】
前記光源部のそれぞれは、前記両口金間の中央部が相互に離間して軸対称形状に変形することにより、前記口金同士が相互に接近することを特徴とする請求項７に記載の照明光源装置。
【請求項９】
前記光源部のそれぞれが、円弧状に変形されることを特徴とする請求項８に記載の照明光源装置。
【請求項１０】
前記光源部のそれぞれが、隣接する光源ユニット同士が相互に略直角になるように回動させて、外側に矩形状に突出する部分を形成するように変形させることによって、前記口金同士が相互に接近することを特徴とする請求項８に記載の照明光源装置。
【請求項１１】
隣接する前記光源ユニット同士を、所定の回動状態で位置決めする位置決め機構が設けられていることを特徴とする請求項１〜１０のいずれか一項に記載の照明光源装置。
【請求項１２】
それぞれが発光素子を有する複数の光源ユニットが伸縮可能なラチス構造に連結されて伸縮可能になった光源部と、
当該光源部の両側の端部にそれぞれ取り付けられており、照明器具における相互に対向配置された一対のソケットのそれぞれに着脱可能になった一対の口金と、を備え、
前記口金同士が前記光源部の伸縮によって相互に離間および接近することを特徴とする照明光源装置。
【請求項１３】
発光素子をそれぞれ有する複数の光源ユニットが直列状態に配列されて、隣接する光源ユニット同士が変形可能な連結部材によって相互に接近および離間可能に連結されて伸縮可能になった光源部と、
当該光源部の両側の端部にそれぞれ取り付けられており、照明器具における相互に対向配置された一対のソケットのそれぞれに着脱可能になった一対の口金と、を備え、
前記口金同士が、前記光源部の伸縮によって相互に離間および接近することを特徴とする照明光源装置。
【請求項１４】
前記連結部材は、連結された前記光源ユニット同士が相互に離間および接近するように変形可能になっていることを特徴とする請求項１３に記載の照明光源装置。
【請求項１５】
前記光源の両側に位置するそれぞれの前記光源ユニットと前記各口金とが、変形可能な連結部材によって、相互に離間および接近するように連結されていることを特徴とする請求項１３または１４に記載の照明光源装置。
【請求項１６】
前記連結部材は、菱形格子形状になっていることを特徴とする請求項１４または１５に記載の照明光源装置。
【請求項１７】
発光素子をそれぞれ有する複数の光源ユニットが直列状態に配列されて、隣接する光源ユニット同士がリンク部材によって連結された光源部と、
当該光源部の両側の端部にそれぞれ取り付けられており、照明器具における相互に対向配置された一対のソケットのそれぞれに着脱可能になった一対の口金と、を備え、
前記リンク部材は、連結するそれぞれの光源ユニットに回動可能に取り付けられており、
前記光源ユニットのいずれかが、前記両口金の対向方向に対して直交する方向に平行移動することによって、前記口金同士が相互に接近および離間することを特徴とする照明光源装置。
【請求項１８】
前記リンク部材が連結される前記光源ユニットに対して位置決めされることを特徴とする請求項１７に記載の照明光源装置。
【請求項１９】
前記光源ユニットは、発光素子が配線基板に実装されたＬＥＤモジュールと、当該ＬＥＤモジュールが搭載された支持基板と、を有することを特徴とする請求項１〜１８のいずれか一項に記載の照明光源装置。
【請求項２０】
前記口金同士が、伸縮可能になった支持棒によって相互に連結されていることを特徴とする請求項１〜１９のいずれか一項に記載の照明光源装置。
【請求項２１】
前記支持棒が所定の長さの伸縮状態で位置決めされることを特徴とする請求項２０に記載の照明光源装置。
【発明の詳細な説明】
【技術分野】
【０００１】
本発明は、ＬＥＤ（Light Emitting Diode）、有機ＥＬ（Electro Luminescence）などの発光素子を光源として使用する照明光源装置に関する。
【背景技術】
【０００２】
半導体発光素子の一種である発光ダイオード（ＬＥＤ）は、放電、輻射等によって発光する白熱電球、蛍光灯等の光源と比べて、電気エネルギーを高効率で光に変換することができ、高光束化が可能であって小型であることから、表示用の光源に限らず、照明用の光源としても利用されるようになっている。現在、蛍光灯、白熱電球等が装着されて使用される照明器具が普及していることから、ＬＥＤを用いた照明用光源装置も、蛍光灯、白熱電球等の代替として既存の照明器具との互換性を有していることが望ましい。
【０００３】
特許文献１には、複数のＬＥＤが搭載されたプリント基板を直管形状の筐体内に配置して両端を口金にて封止することにより、既存の蛍光灯器具に装着される直管形状の蛍光灯との互換性を有する蛍光灯形照明光源装置が開示されている。
また、特許文献２には、複数のＬＥＤ基板をリード線で接続して、透明シリコンゴムにて構成された管状体内に収容することによって、湾曲可能に構成されたＬＥＤ蛍光灯が開示されている。
【先行技術文献】
【特許文献】
【０００４】
【特許文献１】特開２００８−２８２７９３号公報
【特許文献２】特開２００２−２８９００４号公報
【発明の概要】
【発明が解決しようとする課題】
【０００５】
特許文献１に開示された蛍光灯形照明光源装置では、所定の長さの蛍光灯が装着される照明器具にのみ装着できるように、所定の長さになった筐体を使用している。しかし、筐体は、一定の長さに固定されているために、装着できる照明器具が１種類に限定され、汎用的でないという問題がある。また、筐体が変形しないために、輸送時、保管時等にも、大きさが変化しない状態で所定の収納空間内に収納しなければならず、収納効率が低下するという問題もある。
【０００６】
特許文献２に開示されたＬＥＤ蛍光灯は自由な形に湾曲することが可能になっている。しかし、このＬＥＤ蛍光灯は、管状体の両端部に設けられたリード線によって電力が供給される構成であるために、現在普及している蛍光灯との互換性がなく、従って、蛍光灯の代替として使用できないという問題がある。また、自由な形に湾曲することができるものの、それ自体の大きさは変化しないために、輸送時、保管時等における収容効率を大きく改善することはできない。
【０００７】
本発明は、上記の問題に鑑みてなされたものであり、その目的は、長さの異なる複数種類の既存の蛍光灯との互換性を有することによって汎用的であり、しかも、輸送時、保管時等における収納効率を向上させることができる照明光源装置を提供することにある。
【課題を解決するための手段】
【０００８】
上記目的を達成するため、本発明に係る照明光源装置は、発光素子をそれぞれ有する複数の光源ユニットが直列状態に配列されて、隣接する光源ユニット同士が回動可能に連結された光源部と、当該光源部の両側の端部にそれぞれ取り付けられており、照明器具における相互に対向配置された一対のソケットのそれぞれに着脱可能になった一対の口金と、を備え、前記光源部は、前記光源ユニット直列状態から隣接する光源ユニット同士を回動させることにより、前記口金同士が相互に離間および接近することを特徴とする。
【０００９】
また、本発明の照明光源装置は、それぞれが発光素子を有する複数の光源ユニットが伸縮可能なラチス構造に連結されて伸縮可能になった光源部と、当該光源部の両側の端部にそれぞれ取り付けられており、照明器具における相互に対向配置された一対のソケットのそれぞれに着脱可能になった一対の口金と、を備え、前記口金同士が前記光源部の伸縮によって相互に離間および接近することを特徴とする。
【００１０】
さらに、本発明の照明光源装置は、発光素子をそれぞれ有する複数の光源ユニットが直列状態に配列されて、隣接する光源ユニット同士が変形可能な連結部材によって相互に接近および離間可能に連結されて伸縮可能になった光源部と、当該光源部の両側の端部にそれぞれ取り付けられており、照明器具における相互に対向配置された一対のソケットのそれぞれに着脱可能になった一対の口金と、を備え、前記口金同士が、前記光源部の伸縮によって相互に離間および接近することを特徴とする。
【００１１】
さらにまた、本発明の照明光源装置は、発光素子をそれぞれ有する複数の光源ユニットが直列状態に配列されて、隣接する光源ユニット同士がリンク部材によって連結された光源部と、当該光源部の両側の端部にそれぞれ取り付けられており、照明器具における相互に対向配置された一対のソケットのそれぞれに着脱可能になった一対の口金と、を備え、前記リンク部材は、連結するそれぞれの光源ユニットに回動可能に取り付けられており、前記光源ユニットのいずれかが、前記両口金の対向方向に対して直交する方向に平行移動することによって、前記口金同士が相互に接近および離間することを特徴とする。
【発明の効果】
【００１２】
本発明の照明光源装置では、両側の口金が相互に接近および離間することによって、既存の複数種類の既存の照明器具のソケットにそれぞれ装着することができるために、汎用的であり、ユーザの使い勝手が向上する。また、両側の口金が相互に接近することによって、光源部の長さが短縮した状態になるために、輸送、保管等に際しての収容空間を小さくすることができ、収納効率を向上させることができる。
【図面の簡単な説明】
【００１３】
【図１】本発明の実施形態１に係る照明光源装置の一例を示す平面図である。
【図２】（ａ）は、その照明光源装置における光源部を構成する１つの光源ユニットの平面図、（ｂ）は、その光源ユニットの縦断面図、（ｃ）は、相互に隣接する光源ユニット１１同士の連結部を示す断面図である。
【図３】その照明光源装置における両側の口金を相互に接近させた状態の平面図である。
【図４】本実施形態１に係る照明光源装置の他の例を示す平面図である。
【図５】（ａ）は、その照明光源装置における光源部を構成する１つの光源ユニットの平面図、（ｂ）は、その光源ユニットの縦断面図、（ｃ）は、その照明光源装置における両側の口金を相互に接近させた状態の平面図である。
【図６】本実施形態１に係る照明光源装置の支持棒に設けられた口金位置決め機構の一例を示す縦断面図である。
【図７】（ａ）は、光源ユニット位置決め機構の構成を説明するために、一対の光源ユニットの連結部の一部を破断して示す平面図、（ｂ）は、（ａ）におけるＢ−Ｂ線に沿った断面図である。
【図８】本発明の実施形態２に係る照明光源装置の一例を示す平面図である。
【図９】その照明光源装置における両側の口金を相互に接近させた状態の平面図である。
【図１０】本発明の実施形態３に係る照明光源装置の一例を示す平面図である。
【図１１】その照明光源装置における両側の口金を相互に接近させて第１光源部および第２光源部をそれぞれ所定の形状に変形させた状態の一例を示す平面図である。
【図１２】その照明光源装置における両側の口金を相互に接近させて第１光源部および第２光源部をそれぞれ所定の形状に変形させた状態の他の例を示す平面図である。
【図１３】その照明光源装置における両側の口金を相互に接近させて第１光源部および第２光源部を、それぞれ所定の形状に変形させた状態のさらに他の例を示す平面図である。
【図１４】本発明の実施形態４に係る照明光源装置の一例を示す平面図である。
【図１５】（ａ）は、その照明光源装置における光源部を構成する１つの光源ユニットの平面図、（ｂ）は、その光源ユニットの縦断面図である。
【図１６】その照明光源装置における両側の口金を相互に接近させた状態の平面図である。
【図１７】本発明の実施形態５に係る照明光源装置の一例を示す平面図である。
【図１８】（ａ）は、その照明光源装置における光源部を構成する１つの光源ユニットの平面図、（ｂ）は、その光源ユニットの縦断面図である。
【図１９】その照明光源装置における両側の口金を相互に接近させた状態の一例を示す側面図である。
【図２０】その照明光源装置における両側の口金を相互に接近させた状態の他の例を示す側面図である。
【図２１】（ａ）は、リンク部材位置決め機構の構成を説明するための１つの光源ユニットの側面図、（ｂ）は、その光源ユニットをリンク部材の一部とともに示す平面図、（ｃ）は、その光源ユニットとリンク部材との取り付け構造を示す側面図である。
【発明を実施するための形態】
【００１４】
以下、本発明の実施形態に係る照明光源装置について説明する。
＜実施形態１＞
図１は、本発明の実施形態１に係る照明光源装置の一例を示す平面図である。この照明光源装置は、平面視で長方形の平板状にそれぞれ構成されてそれぞれに３個のＬＥＤ光源１１ａを有する複数（本実施形態では７個）の光源ユニット１１が設けられた光源部１０と、この光源部１０の両側の各端部にそれぞれ連結された一対の口金２０と、両口金２０同士を相互に連結する一対の支持棒３０とを有している。
【００１５】
光源部１０の両側にそれぞれ設けられた各口金２０は、必要に応じてＬＥＤ光源１２ａの点灯回路等が内部に設けられる円筒状の口金本体部２１と、口金本体部２１の一方の端部に設けられた円板形状のフランジ部２２と、フランジ部２２から口金本体部２１とは反対側（外側）に突出する一対の端子ピン２３とを有している。各端子ピン２３は、長さの異なる蛍光灯がそれぞれ装着される複数種類の既存の蛍光灯器具のそれぞれにおける対向配置されたソケットに装着可能になっている。
【００１６】
各口金２０は、円筒状の口金本体部２１の端面同士が相互に対向した同軸状態で、相互に接近および離間し得るように、一対の支持棒３０によって連結されている。各支持棒３０は、例えば、テレスコピックパイプ構成によって伸縮可能になっており、各支持棒３０の両側の端部が、例えば、各口金２０のフランジ部２２における中心対称の２位置に、それぞれ取り付けられている。なお、本実施形態１では、各支持棒３０は、２段にわたって伸縮するようになっている。
【００１７】
複数の光源ユニット１１は、各支持棒３０が伸長した状態では、両口金２０間にわたって一直線になるように直列に配列されて、隣接する各光源ユニット１１における相互に近接した端部同士が１本の連結ピン１２によって連結されている。光源部１０の両側の端部に位置する各光源ユニット１１は、両側の口金２０に近接した端部が、それぞれの口金２０に１本の連結ピン１２によって連結されている。
【００１８】
図２（ａ）は、光源部１０を構成する１つの光源ユニット１１の平面図、図２（ｂ）は、その光源ユニット１１の縦断面図である。
光源ユニット１１は、長方形の平板状に構成された支持基板１１Ａと、支持基板１１Ａの表面上に取り付けられたＬＥＤモジュール１１Ｂとを有している。
支持基板１１Ａは、例えば厚さ２ｍｍ、長さ１０ｃｍ程度、幅２ｃｍ程度のアルミニウム板によって構成されている。支持基板１１Ａの長手方向の各端部における幅方向の中央部には、厚さ方向に貫通する貫通孔１１ｅがそれぞれ設けられている。
【００１９】
支持基板１１Ａの表面上に取り付けられたＬＥＤモジュール１１Ｂは、配線基板１１ｃの表面に３個のＬＥＤ光源１１ａが支持基板１１Ａの長手方向に沿って実装されたＳＭＤ（表面実装部品）である。
配線基板１１ｃは、例えば、１ｍｍ程度の厚さのアルミニウム板をベースとして構成されており、例えば、支持基板１１Ａの幅にほぼ等しい幅寸法であって、支持基板１１Ａよりも若干短い長さ（６ｃｍ程度）の長板状に形成されている。配線基板１１ｃ上には、絶縁層を介して、金線によって形成された配線パターンが設けられている。
【００２０】
配線基板１１ｃ上に実装された各ＬＥＤ光源１１ａは、それぞれ、表面が発光面であって裏面に２つの電極が設けられた半導体発光素子を備えており、裏面の各電極が配線基板１１Ａの配線パターンに対してハンダによって接合されて、半導体発光素子が蛍光体皮膜によって封止されている。
蛍光体皮膜ｃは、例えば、シリコーン樹脂などの透光性材料に、蛍光体粒子が分散されて構成されている。蛍光体皮膜中における蛍光体粒子の混入割合は、例えば、１０［ｗｔ％］程度である。
【００２１】
各ＬＥＤ光源１１ａの発光面から発せられた光は、蛍光体皮膜を通って、配線基板１１ｃとは反対方向に向って照射される。
配線基板１１ｃは、長手方向の両側の端縁部のそれぞれが、ネジ１１Ｄによって、支持基板１１Ａに取り付けられており、これにより、ＬＥＤモジュール１１Ｂが、支持基板１１Ａに固定されている。
【００２２】
図２（ｃ）は、相互に隣接する光源ユニット１１同士の連結部を示す断面図である。相互に隣接する各光源ユニット１１に設けられた支持基板１１Ａは、ＬＥＤモジュール１１Ｂが取り付けられたそれぞれの表面を同じ方向に向けた状態で、それぞれの端部に設けられた貫通孔１１ｅが相互に重なるように配置されて、相互に重ねられた貫通孔１１ｅ内に、１本の連結ピン１２が挿入されている。連結ピン１２の両側の端部は、各貫通孔１１ｅから抜け止めされている。
【００２３】
これにより、相互に隣接する各光源ユニット１１の支持基板１１Ａは、連結ピン１２を中心として回動可能になっており、両光源ユニット１１同士は、屈曲自在に連結されている。
なお、連結ピン１２にて連結される両支持基板１１Ａの間には、連結ピン１２に嵌合されたスペーサー１２ｂが設けられている。
【００２４】
１つの光源ユニット１１の両側に他の光源ユニット１１がそれぞれ連結される場合には、両側の他の光源ユニットのそれぞれの支持基板１１Ａは、１つの光源ユニット１１の支持基板１１ＡにおけるＬＥＤモジュール１１Ｂが取り付けられた表面および裏面のいずれか一方の面に対して突き合わせられる。このように、両側の光源ユニット１１の支持基板１１Ａが、中央の光源ユニット１１の支持基板１１Ａにおける同一面に突き合わされることによって、光源部１０全体における支持基板１１Ａの厚さ方向に沿った寸法を、光源ユニット１１の厚さの２倍程度に薄くすることができる。
【００２５】
連結ピン１２によって連結されたそれぞれの支持基板１１ＡのＬＥＤモジュール１１Ｂは、例えばリード線１０Ｅによって、それぞれの金配線同士が接続されている。これにより、全てのＬＥＤモジュール１１Ｂが電気的に接続された状態になり、全てのＬＥＤ光源１１ａに対する給電が可能になる。
なお、このような構成に限らず、例えば、各支持基板１１ＡのＬＥＤモジュール１１Ｂから貫通孔１１ｅにまで導電パターンを形成するとともに、連結ピン１２を導電性材料によって構成して、連結ピン１２によって連結されたそれぞれの支持基板１１ＡのＬＥＤモジュール１１Ｂに接続された導電パターン同士を、連結ピン１２によって電気的に接続するようにしてもよい。
【００２６】
光源部１０の両側のそれぞれの端部に連結される各口金２０は、口金本体部２１の端面に溝部（図示せず）が設けられており、その溝部内に、光源部１０の両側にそれぞれ配置された各光源ユニット１１における支持基板１１Ａの端部が嵌合されるようになっている。各溝部は、例えば、当該口金２０に設けられた一対の端子ピン２３同士を結ぶ直線と平行に形成されている。
【００２７】
口金本体部２１には、支持基板１１Ａの端部が溝部に嵌合された場合に、その端部に形成された貫通孔１１ｅと一直線になるように貫通孔２１ａ（図１参照）が形成されており、この貫通孔２１ａおよび支持基板１１Ａの貫通孔１１ｅ内に１本の連結ピン１２が挿入されることによって、口金本体部２１と支持基板１１Ａとが、連結ピン１２を中心として回動可能に連結されている。連結ピン１２は、貫通孔２１ａに対して抜け止めされている。
【００２８】
両側の口金２０同士を連結する各支持棒３０は、口金本体部２１に形成された溝部の長手方向の両端を、溝部に直交する方向に沿って通過して、それぞれの端部が各フランジ部２２に取り付けられている。従って、溝部の長手方向の両側に各支持棒３０が通過しており、溝部内に嵌合された支持基板１１Ａの端部は、各支持棒３０の端部にて挟まれた状態になっている。
【００２９】
なお、各支持棒３０は、このように、口金本体部２１の溝部の両側に配置する構成に限らず、口金本体部２１の溝部に対して、当該溝部の延長方向とは直交する方向にずれた状態で配置してもよい。また、口金本体部２１に形成される溝部も、口金本体部２１の直径部分に対して、平行になっていれば、中央部からずれた状態になっていてもよい。
このような構成の照明光源装置は、両側の口金２０を相互に離間するように各支持棒３０を伸長させると、図１に示すように、光源部１０における各光源ユニット１１は、各支持棒３０とは平行に、一直線に並んだ直列状態に配列される。この状態では、光源部１０が最も長い状態になり、この場合の光源部１０の長さと同じ長さの蛍光灯が装着可能になった既存の蛍光灯器具の一対のソケットに対して、両側の口金２０の端子ピン２３が装着可能になる。
【００３０】
このような状態で、両側の口金２０におけるそれぞれの端子ピン２３を既存の蛍光灯器具のソケットに装着する場合には、光源ユニット１１における各ＬＥＤ光源１１ａの光の照射方向が所定の方向になるように、既存の蛍光灯器具のソケットに対して端子ピン２３が装着される。これにより、従来の蛍光灯と同様の照明光源装置として使用することができる。
【００３１】
このように光源部１０が最長になった状態から各支持棒３０を収縮させつつ、各口金２０に連結された光源ユニット１１を、連結ピン１２を中心として所定方向に回動操作し、また、相互に連結された光源ユニット１１同士も、連結ピン１２を中心としてそれぞれ所定方向に回動操作して屈曲状態にする。これにより、図３に示すように、光源部１０をジクザグ状に変形させることができ、両側の口金２０同士が相互に接近した状態になる。
【００３２】
この場合に、両側の口金２０の間隔を所定の長さにすることにより、両側の口金２０における端子ピン２３は、既存の蛍光灯器具（光源部１０が最長になった状態において装着される前記蛍光灯器具とは別の種類の蛍光灯器具）のソケットに装着することが可能になり、当該別の既存の蛍光灯器具に装着して使用することができる。
また、輸送、保管等に際しては、図３に示すように、各支持棒３０を収縮させつつ光源部１０をジクザグ状に変形させて両口金２０同士を相互に接近させた状態、あるいは、可能であれば、図３に示す状態からさらに両口金２０同士を相互に接近させた状態とすればよい。これにより、照明光源装置の収納空間を小さくすることができ、収容効率を向上させることができる。
【００３３】
なお本実施形態では、隣接する一対の光源ユニット１１の支持基板１１Ａの端部における幅方向の中央部に貫通孔１１ｅを形成して、連結ピン１２によって両支持基板１１Ａ同士を回動可能に連結する構成としたが、このような構成に限らず、例えば、図４に示すように、各光源ユニット１１における支持基板１１Ａの各端部にそれぞれ形成される貫通孔１１ｅを、幅方向の中央部から相反する方向にずらして形成してもよい。
【００３４】
この場合には、隣接する各光源ユニット１１の支持基板１１Ａにおける端部同士を、幅方向にずれることなく重ね合わせると、それぞれの端部に形成された貫通孔１１ｅ同士が同軸状態になり、同軸状態になった貫通孔１１ｅに１本の連結ピン１２を挿入することによって、隣接する各光源ユニット１１が連結される。また、各口金２０の口金本体２１にも、光源部１０の両側の各端部のそれぞれの光源ユニット１１における支持基板１１Ａに設けられた貫通孔１１ｅに対応するように貫通穴２１ａが設けられて、それぞれ、１本の連結ピン１２にて連結される。
【００３５】
このような構成とすることにより、例えば、図５（ａ）に示すように、隣接する一対の光源ユニット１１同士が一直線に配列された状態で、矢印Ａで示すような押圧力を各光源ユニット１１に付与すると、両光源ユニット１１を連結する連結ピン１２が幅方向の中央からずれて配置されていることにより、図５（ｂ）に示すように、各光源ユニット１１には、連結ピン１２を中心としたモーメントが相反する方向に作用する。これにより、連結ピン１２にて連結された一対の光源ユニット１１同士は、当該連結ピン１２を中心として「Ｖ」字状に屈曲される。従って、図５（ｃ）に示すように、光源部１０を容易にジグザグ状に変形させることができる。
【００３６】
また、各口金２０が所定の間隔で位置決めする口金位置決め機構を設けてもよい。図６は、このような口金位置決め機構が設けられた支持棒３０の縦断面図である。この口金位置決め機構は、図６に示すように、一方の支持棒３０を構成する外側パイプ３１の内周面に、長手方向に沿って一定のピッチで周期的に形成された複数の凹部３１ａと、当該外側パイプ３１内にスライド可能に挿入された内側パイプ３２の先端側部分に、当該凹部３１ａと同じピッチで周期的に形成された複数の凸部３２ａとによって構成されている。
【００３７】
内側パイプ３２の各凸部３２ａは、対応する外側パイプ３１の凹部３１ａ内にそれぞれ嵌合されることによって、両者は係合状態になり、外側パイプ３１と内側パイプ３２とは相互に位置決めされる。これにより、支持棒３０は、所定の長さに固定された状態になり、両口金２０が所定の間隔で位置決めされることになる。
このような状態で、内側パイプ３２を外側パイプ３１に対してスライド操作すると、内側パイプ３２の各凸部３２ａは、嵌合状態になった各凹部３１ａに対してスライド方向に隣接するそれぞれの凹部３１ａに嵌合された状態になって、内側パイプ３２と外側パイプ３１とが位置決めされる。これにより、支持棒３０の長さが、伸長状態または収縮状態に変更され、従って、両口金２０は、異なる間隔で位置決めされることになる。
【００３８】
また、このような口金位置決め機構に代えて、あるいは、口金位置決め機構とともに、連結ピン１２にて連結される一対の光源ユニット１１同士を位置決めする光源ユニット位置決め機構をさらに設ける構成としてもよい。図７（ａ）は、光源ユニット位置決め機構の構成を説明するために、一対の光源ユニット１１の連結部を一部破断して示す平面図、図７（ｂ）は、（ａ）のＢ−Ｂ線に沿った断面図である。
【００３９】
光源ユニット位置決め機構は、図７（ｂ）に示すように、連結ピン１２にて連結される一対の光源ユニット１１におけるそれぞれの支持基板１１Aの相互に対向する面の一方に設けられた半球状の突部１１ｘと、図７（ａ）および（ｂ）に示すように、他方の面に、連結ピン１２を中心とした円周上に設けられた第１凹部１１ｙおよび第２凹部１１ｚとによって構成される。
【００４０】
第１凹部１１ｙは、各光源ユニット１１同士が相互に一直線になった場合に、突部１１ｘが嵌合するように配置されており、第２凹部１１ｚは、各光源ユニット１１同士が所定の屈曲状態（回動角度）になった場合に当該突部１１ｘが嵌合するように配置されている。突部１１ｘは、第１凹部１１ｙ内に嵌合した状態では、各光源ユニット１１同士が相互に一直線になるように位置決めし、このような状態で、両光源ユニット１１同市を所定の屈曲状態になるように操作すると、突部１１ｘは、第１凹部１１ｙから容易に離脱して第２凹部１１ｚ内に嵌合される。このような状態になることにより、両光源ユニット１１同市は所定の屈曲状態で位置決めされる。
【００４１】
従って、図１に示すように、全ての光源ユニット１１が一直線になるように位置決めされると、光源部１０は、一直線に伸長した状態に保持される。これにより、両口金２０は所定の間隔に保持されるために、所定の蛍光灯器具に容易に装着することができる。また、図３に示すように、全ての光源ユニット１１がジグザグ状に操作された状態で位置決めされると、光源部１０は、ジグザグ状に変形した状態に保持される。これにより、両口金２０は所定の間隔に保持されるために、さらに別の所定の蛍光灯器具に容易に装着することができる。
【００４２】
なお、連結ピン１２によって口金２０に連結された光源ユニット１１と当該口金２０とを、同様の位置決め機構によって、相互に所定の回動状態で位置決めするようにしてもよい。
さらに、光源ユニット位置決め機構としては、このような構成に限らず、１本の連結ピン１２と、当該連結ピン１２が挿入される一対の光源ユニット１１の各貫通孔１１ｅとの間の摩擦によって、一対の光源ユニット１１同士が回動操作された状態で保持される構成であってもよい。
【００４３】
なお、本実施形態１においては、隣接する各光源ユニット１０同士を、ＬＥＤモジュール１１Ｂが設けられた支持基板１１Ａの厚さ方向に沿って挿通した連結ピン１２によって回動可能に連結する構成したが、ＬＥＤモジュール１１Ｂが設けられた支持基板１１Ａの厚さ方向および支持棒３０の伸縮方向のそれぞれに対して垂直に配置された連結ピンによって、隣接する各光源ユニット１０同士を連結するように構成してもよい。
【００４４】
この場合には、各口金２０同士を相互に接近させると、ＬＥＤモジュール１１Ｂが設けられた支持基板１１Ａの表面が、連結ピンを中心に回動して支持棒３０に対して傾斜した状態になり、隣接する光源ユニット１１から照射される光の方向を異ならせることができる。
＜実施形態２＞
図８は、本発明の実施形態２における照明光源装置の平面図である。この照明光源装置は、図１〜図３に示した実施形態１の照明光源装置とは、光源部１０の構成のみが異なっていること以外は同様の構成になっている。
【００４５】
本実施形態の照明光源装置は、光源部１０を構成する光源ユニット１１（実施形態１の照明光源装置における光源ユニット１１と同様の構成）の個数が、実施形態１の照明光源装置における光源ユニット１１の個数の２倍になっており、これらの光源ユニット１１によって伸縮可能なラチス構造が形成されている。
各口金２０の口金本体２１には、一対の光源ユニット１１の一方の端部が、１本の連結ピン１２によって、それぞれ回転可能に取り付けられている。各光源ユニット１１の他方の端部には、それぞれ、他の１つの光源ユニット１１の一方の端部が連結ピン１２によって回動可能に連結されており、当該他の１つの光源ユニット１１のそれぞれの他方の端部同士が１本の連結ピン１２によって、相互に回動可能に連結されている。
【００４６】
従って、４個の光源ユニット１１が変形可能な菱形格子（ラチス構造）を形成しており、各連結ピン１２によって連結された一対の光源ユニット１１が、連結ピン１２を中心として回動することにより、横長または縦長の菱形に変形する。
口金本体２１に取り付けられた連結ピン１２に対して対角に位置する連結ピン１２には、さらに、別の菱形格子を構成する一対の光源ユニット１１の一方の端部がそれぞれ回動可能に連結されている。そして、これら一対の光源ユニット１１の他方の端部に、さらに別の一対の光源ユニット１１の一方の端部が連結ピン１２によって連結されて、他方の端部同士が、１本の連結ピン１２によって回動可能に連結されている。
【００４７】
このようにして、４個の光源ユニット１１によって形成された複数の菱形格子が、両側の口金２０の間にわたって形成されることにより、口金２０が相互に接近および離間可能な状態になっている。この場合、菱形格子同士を連結する連結ピン１２は、両側の口金２０に設けられた連結ピン１２同士を結ぶ直線上に位置しており、これらの連結ピン１２は、各口金２０が相互に接近または離隔することによって、その直線上を、隣接する連結ピン１２に接近または離隔するように移動する。これにより、各菱形格子における支持棒３０とは直交する方向に位置する２つの連結ピン１２は、外側に広がる方向または内側に接近する方向に移動することになる。
【００４８】
なお、本実施形態では、光源部１０を構成する各光源ユニット１１の両側に各支持棒３０が位置しないように、例えば、一対の支持棒３０のそれぞれが、各光源ユニット１１の両側の位置から同方向に等しい距離だけ平行移動した位置に配置されている。これにより、２つの光源ユニット１１の端部を連結する連結ピン１２は、各支持棒３０に接触することなく、各支持棒３０の外側に広がることが可能になる。
【００４９】
このような構成の照明光源装置では、両側の口金２０を相互に離間する方向に移動させつつ、各支持棒３０を伸長させると、図８に示すように、光源部１０における４つの各光源ユニット１１にて構成されたそれぞれの菱形格子は、支持棒３０に沿って横長の菱形形状になる。このような状態では、両側の口金２０は、既存の所定種類の蛍光灯器具のソケットに装着可能になる。
【００５０】
従って、このような状態で、既存の所定種類の照明器具のソケットに対して、両側の口金２０を、光源ユニット１１における各ＬＥＤ光源１１ａの光の照射方向を所定の方向に向けた状態で装着することによって、従来の蛍光灯と同様の照明光源として使用することができる。
また、各支持棒３０を収縮させつつ、両側の口金２０を相互に接近させると、図９に示すように、光源部１０におけるそれぞれの菱形格子は、正方形状に近い菱形形状に変形する。この場合、両側の口金２０の間隔が、既存の他の種類の照明器具のソケットに装着することができる長さとすることにより、当該照明器具に装着して使用することが可能になる。
【００５１】
本実施形態の照明光源装置では、光源ユニット１１によって伸縮可能なラチス構造が形成されているために、一方の口金２０だけを接近および離間するように操作すれば、両側の口金２０同士を確実に接近および離間させることができる。
なお、本実施形態２でも、支持棒３０の長さを段階的に固定することによって両口金の間隔を位置決めする口金位置決め機構を設ける構成、あるいは、１本の連結ピンにて相互に対向した状態に連結された一対の光源ユニット１１同士、あるいは、光源ユニット１１および口金２０を、それぞれ所定の回動状態で位置決めする光源ユニット位置決め機構を設ける構成としてもよい。
【００５２】
＜実施形態３＞
図１０は、本発明の実施形態３における照明光源装置の平面図である。この照明光源装置は、図１〜図３に示した実施形態１の照明光源装置における光源部１０とそれぞれ同様の構成の第１光源部１０Ｘおよび第２光源部１０Ｙが、両口金２０間に設けられていること以外は、実施形態１の照明光源装置と同様の構成になっている。
【００５３】
本実施形態の照明光源装置では、第１光源部１０Ｘおよび第２光源部１０Ｙは、それぞれの光源ユニット１１のＬＥＤモジュール１１Ｂが同方向に向けられた状態、すなわち、それぞれのＬＥＤモジュール１１Ｂの光の照射方向が同じ方向とされた状態で、それぞれが同一平面上に位置するように配置されている。
また、各支持棒３０は、第１光源部１０Ｘおよび第２光源部１０Ｙが位置する平面に対して、光源ユニット１１の裏面側にずれた平面上にそれぞれ配置されている。
【００５４】
第１光源部１０Ｘおよび第２光源部１０Ｙは、各支持棒３０が伸長することにより、全ての光源ユニット１１が一直線に配列されることにより、相互に平行な状態になる。このような状態では、両側の口金２０は、既存の所定種類の照明器具のソケットに装着可能になる。
このような構成の照明光源装置では、各支持棒３０を収縮させつつ、各口金２０に連結された第１光源部１０Ｘおよび第２光源部１０Ｙのそれぞれの光源ユニット１１を、相互に離間するように外側に向って回動操作する。これにより、両側の口金２０は相互に接近される。そして、第１光源部１０Ｘおよび第２光源部１０Ｙのそれぞれは、両口金２０間の中央部において最も離れた状態になった軸対称形状に変形されることにより、第１光源部１０Ｘおよび第２光源部１０Ｙのそれぞれは、例えば、図１１に示すように、外側に台形状に突出した形状に変形される。
【００５５】
このような状態では、第１光源部１０Ｘおよび第２光源部１０ＹのＬＥＤ光源１２ａは、リング状に連続した状態になり、面状に光を照射することが可能になる。
また、各支持棒３０をさらに収縮させつつ、第１光源部１０Ｘおよび第２光源部１０Ｙのそれぞれの光源ユニット１１を、順次、外側に回動させると、両側の口金２０同士はさらに接近した状態になり、第１光源部１０Ｘおよび第２光源部１０Ｙのそれぞれが半円形状に湾曲されることにより、図１２に示すように、第１光源部１０Ｘおよび第２光源部１０Ｙは真円形状に近いリング状に連続させることができ、既存のリング状蛍光灯と概略同様に、面状に均一な光を照射することができる。
【００５６】
なお、このように、第１光源部１０Ｘおよび第２光源部１０Ｙのそれぞれを半円形状に湾曲させる構成に限らず、円弧形状に湾曲させて楕円形状のリング状に連続させるようにしてもよい。
また、本実施形態においては、上記のように、第１光源部１０Ｘおよび第２光源部１０Ｙ同士をリング状に連続させる構成に限らず、例えば、各支持棒３０をさらに収縮させつつ、図１３に示すように、隣接する光源ユニット１１同士をそれぞれ直角状態として、外側に矩形状に突出する部分を形成してもよい。この場合には、第１光源部１０Ｘおよび第２光源部１０Ｙから面状に照射される光の単位面積当たりの光量を増加させることができる。
【００５７】
なお、本実施形態３でも、前記実施形態１と同様に、支持棒３０の長さを段階的に位置決めして両口金２０を所定の間隔で位置決めする口金位置決め機構を設ける構成、あるいは、１本の連結ピンにて相互に対向した状態に連結された一対の光源ユニット１１同士、あるいは、光源ユニット１１および口金２０を、それぞれ、所定の回動状態で位置決めする光源ユニット位置決め機構を設ける構成としてもよい。
【００５８】
光源ユニット位置決め機構を設ける場合には、光源部１０が、図１０に示す状態から、図１１〜図１３に示された形状に順番に変更されて保持されるように、４段階で位置決めする構成（４つの凹部を設ける構成）、あるいは、図１０に示す状態と、図１１〜図１３のそれぞれに示される光源部の形状から選択される１つまたは２つの形状に保持されるように、２段階または３段階で位置決めする構成とすることができる。
【００５９】
また、第１光源部１０Ｘおよび第２光源部１０Ｙの両側の端部に配置されたそれぞれの光源ユニット１１は、両側の口金２０にそれぞれ連結ピン１２によって連結されているが、同一の口金２０に連結された一対の光源ユニット１１は、相互に離れる方向である外側に向ってのみ回動するように、内側への回動がストッパーによって規制するように構成して、第１光源部１０Ｘおよび第２光源部１０Ｙのそれぞれの光源ユニット１１同士が接触しない構成としてもよい。
【００６０】
＜実施形態４＞
図１４は、本発明の実施形態４における照明光源装置の平面図である。この照明光源装置は、光源部１０を構成する各光源ユニット１１には、１つのＬＥＤ光源１２ａのみが設けられており、隣接する光源ユニット１１同士、および、両側の光源ユニット１１のそれぞれと各口金２０とを、それぞれ連結部材１３によって、適当な間隔を開けた状態で連結する構成になっている。
【００６１】
図１５（ａ）は、本実施形態の光源ユニット１１の平面図、図１５（ｂ）は、その縦断面図である。光源ユニット１１の支持基板１１Ａに取り付けられたＬＥＤモジュール１１Ｂは、１つのＬＥＤ光源１１ａが実装されたＳＭＤである。このために、ＬＥＤモジュール１１Ｂの配線基板１１ｃは、長さ（長手方向長さ）が実施形態１におけるＬＥＤモジュール１１Ｂの配線基板１１ｃよりも短くなっており、また、支持基板１１Ａの長さも、実施形態１におけるＬＥＤモジュール１１Ｂの配線基板１１ｃよりも短く、１／２〜１／３程度の長さになっている。
【００６２】
支持基板１１Ａの長手方向に沿った各側面における両側の端部には、実施形態１〜３と同様に、厚さ方向に沿って支持基板１１Ａを貫通する貫通孔１１ｅがそれぞれ設けられている。
隣接する光源ユニット１１の支持基板１１Ａ同士を連結する連結部材１３は、それぞれ同様の構成になっており、連結する支持基板１１Ａ同士が接近および離間するように変形可能になっている。
【００６３】
各連結部材１３は、隣接する一対の光源ユニット１１におけるそれぞれの支持基板１１Ａの貫通孔１１ｅ（相互に近接している）内にそれぞれ挿入された１本の連結ピン１２の一方の端部間にわたって設けられており、それぞれ、４つの連結リンク１３ａによって形成された菱形格子形状になっている。
光源部１０の両側の端部近傍に位置する口金２０は、実施形態１の照明光源装置に使用された口金２０とそれぞれ同様の構成になっており、各口金２０と、それぞれの口金２０に近接する光源ユニット１１の支持基板１１Ａとが、口金２０および光源ユニット１１の支持基板１１Ａのそれぞれに取り付けられた連結ピン間にわたって設けられた連結部材１３によって、相互に接近および離間可能に連結されている。連結部材１３は、前述したように、４つの連結リンク１３ａによって形成された菱形格子形状になっている。
【００６４】
このような構成の照明光源装置でも、各支持棒３０を伸長させつつ、図１４に示すように、各連結部材１３の菱形格子を横長に伸長させると、両側の口金２０の間において、隣接する各光源ユニット１１同士の間隔が長くなる。このような状態では、両側の口金２０は、間隔が最も長い状態に相互に離間し、既存の所定種類の照明器具のソケットに装着可能になる。
【００６５】
また、各支持棒３０を収縮させつつ、図１６に示すように、両側の口金２０の間に位置する全ての連結部材１３における菱形格子を縦長の菱形形状に変形させると、隣接する光源ユニット１１同士、および、両側の各口金２０と両側の各光源ユニット１１同士が、それぞれ相互に接近する。これにより、両側の口金２０同士も相互に接近した状態になり、光源部１０の全体の長さが、図１４に示す伸長状態よりも短くなる。このような状態になると、既存の他の所定種類の照明器具のソケットに装着可能になる。
【００６６】
本実施形態では、図１４に示す伸長状態、図１６に示す収縮状態のいずれにおいても、各光源ユニット１１が直線状に配列されているために、長手方向の全体にわたって光量ムラが発生することを抑制することができる。
なお、本実施形態においても、支持棒３０の長さを段階的に固定することによって両口金の間隔を位置決めする口金位置決め機構を設ける構成としてもよい。
【００６７】
また、菱形格子形状の各連結部材１３が容易に縦長の菱形形状に変形するように、連結品１２にて連結された一対の連結リンク１３ａの間にわたってコイルスプリング等の弾性部材を設ける構成としてもよい。この場合には、連結部材１３の菱形格子が横長に伸長した状態になることによって、弾性部材が圧縮状態になるために、一対の連結リンク１３ａが相互に離間する方向に付勢力が付与された状態になり、連結部材１３の菱形格子を横長の伸長状態から容易に縦長に変形させることができる。
【００６８】
＜実施形態５＞
図１７は、本発明の実施形態５における照明光源装置の側面図である。この照明光源装置は、光源部１０を構成する各光源ユニット１１が、実施形態４における光源ユニット１１と同様に、１つのＬＥＤ光源１１ａのみを有する構成になっており、また、５個の光源ユニット１１によって光源部１０が構成されている。
【００６９】
図１８（ａ）は、本実施形態の光源ユニット１１の平面図、図１８（ｂ）は、その縦断面図である。図１８（ｂ）に示すように、本実施形態の光源ユニット１１では、支持基板１１Ａの両側の端部に、幅方向に沿って貫通する貫通孔１１ｆが設けられていること以外は、図１８（ａ）および（ｂ）に示された実施形態４の光源ユニット１１と同様の構成になっている。
【００７０】
光源部１０の両側の端部近傍に位置する口金２０は、前記実施形態１〜４の照明光源装置に使用される口金２０と同様に、円筒状の口金本体部２１と、口金本体部２１の一方側の端部に当該口金本体部２１と一体的に構成されたフランジ部２２と、フランジ部２２から外側に突出するように設けられた一対の端子ピン２３とを有しているが、口金本体部２１の直径が前記各実施形態１〜４において使用された口金本体部２１の直径よりも小さくなっている。
【００７１】
また、フランジ部２２は、円板形状に構成されており、フランジ部２２と口金本体部２１とは同心状態に配置されている。一対の端子ピン２３は、フランジ部２２の側縁に平行で、かつ、フランジ部２２の中心を通る直線上であって、フランジ部２２の中心に対して対称位置に配置されている。なお、フランジ部２２は、このような円板形状に限らず、正方形状の平板等によって構成してもよい。
【００７２】
各口金２０のフランジ部２１同士は、前記実施形態１〜４と同様に、それぞれが伸縮可能になった一対の支持棒３０によって連結されているが、各支持棒３０の端部は、フランジ部２１に設けられた一対の端子ピン２３が位置する直線とは平行であって、フランジ部２１の中心を通らない直線上に配置されている。
また、口金本体部２１には、フランジ部２２が設けられた端部とは反対側の端部に、それぞれの口金２０に近接する光源ユニット１１における支持基板１１Ａの端部が嵌合される凹部（図示せず）が設けられている。この凹部は、支持基板１１Ａの幅方向が、一対の端子ピン２３が位置する直線に平行になった状態で支持基板１１Ａの端部が嵌合されるように形成されている。口金本体部２１には、凹部内に嵌合された支持基板１１Ａの端部の両側において、支持基板１１Ａの端部に形成された貫通孔１１ｆと同軸状態になる貫通孔２１ｂが形成されている。
【００７３】
各口金本体部２１の凹部内に嵌合された支持基板１１Ａの端部は、それぞれの口金本体部２１に形成された貫通孔２１ｂおよび支持基板１１Ａの端部に形成された貫通孔１１ｆを通過する１本の連結ピン１２によって、各口金本体部２１の軸心方向に沿った状態に固定的に取り付けられている。連結ピン１２は、口金本体部２１に設けられた貫通孔２１ｂから抜け止めされている。
【００７４】
隣接する光源ユニット１１の支持基板１１Ａ同士は、一対のリンク部材１４によって連結されている。各リンク部材１４は、それぞれ同様の構成になっており、例えばアルミニウム等の金属棒の両端部を、それぞれ直角に屈曲させたチャンネル形状になっている。各リンク部材１４の両側の端部は、各支持基板１１Ａの貫通孔１１ｅ内にそれぞれ挿入されて、貫通孔１１ｅ内において回転可能に保持されている。
【００７５】
図１８（ａ）は、その照明光源装置における光源部を構成する１つの光源ユニットの平面図、（ｂ）は、その光源ユニットの縦断面図である。図１８（ａ）に示すように、一方のリンク部材１４は、各支持基板１１Ａにおける各貫通孔１１ｆが開口する一方の側面側に配置されて、当該側面側から、それぞれの挿入部が、両側の各支持基板１１Ａの貫通孔１１ｆ内に挿入されている。他方のリンク部材１４は、各支持基板１１Ａにおける他方の側面側に配置されて、当該側面側から、それぞれの挿入部が、両側の各支持基板１１Ａの貫通孔１１ｆ内に挿入されている。
【００７６】
このような構成の照明光源装置では、各支持棒３０を伸長させて、図１７に示すように、各リンク部材１４と各光源ユニット１１とが直線状態にすると、両側の口金２０が相互に離間した状態になり、両側の口金２０の間において、交互に配列された各光源ユニット１１および各リンク部材１４が該略同一な平面内において一直線を形成する。このような状態では、両側の口金２０は、既存の所定種類の蛍光灯器具のソケットに装着可能になる。
【００７７】
また、各支持棒３０を収縮させつつ、例えば、図１９に示すような形状とすると、両側の口金２０が相互に離間した状態になる。すなわち、両側の口金２０に取り付けられた光源ユニット１１に対して一対のリンク部材１４にて連結された光源ユニット１１を、両口金２０が対向する方向とは直交する方向（図１８においては、ＬＥＤ光源１１ａからの光の照射方向である各支持棒３０から離れる方向）へ平行移動させる。
【００７８】
これにより、平行移動された光源ユニット１１の両側に位置するそれぞれの光源ユニット１１同士が同一平面上を相互に接近する方向に平行移動し、従って、両口金２０同士も相互に接近することになる。その結果、図２０に示すように、各口金２０に取り付けられた光源ユニット１１に対して１つ置きに配置された光源ユニット１１は、同一平面上の位置を保持するのに対して、それらの間に位置する光源ユニット１１は、隣接する光源ユニットに対して平行移動して、それぞれが同一平面上に位置されることになる。
【００７９】
なお、光源ユニット１１の個数が７個以上になっても、同様に、各口金２０に取り付けられたそれぞれの光源ユニット１に対して１つ置きに配置された光源ユニット１１以外の光源ユニット１１が、ＬＥＤ光源１１ａからの光の照射方向に平行移動させることができる。
このようにして、両側の各口金２０同士を相互に接近させることにより、既存の他の種類の照明器具のソケットに装着可能になる。
【００８０】
なお、両側の各口金２０同士を相互に接近させる場合には、図２０に示すように、光源部１０の長手方向中央部に位置する光源ユニット１１を、両側の光源ユニット１１よりも、光の照射方向にさらに平行移動させる構成としてもよい。
本実施形態の照明光源装置は、図１９および図２０に示すように両側の各口金２０同士が相互に接近した状態では、隣接する光源ユニット１１のＬＥＤ光源１２ａの位置が光の照射方向に交互にずれているために、光が照射それる面上において光の明るさが長手方向に交互に周期的に変化した状態になる。
【００８１】
なお、本実施形態では、光源部１０を構成する光源ユニット１１の個数は、特に限定されるものではないが、各光源ユニット１１を交互に平行移動した状態することによって各口金２０同士を相互に接近させる場合には、照明器具における対向配置されたソケットに装着するために、奇数個になっている必要がある。
また、本実施形態においても、支持棒３０の長さを段階的に固定することによって両口金の間隔を位置決めする口金位置決め機構を設ける構成としてもよい。
【００８２】
さらには、口金位置決め機構に代えて、あるいは、口金位置決め機構とともに、各光源ユニット１１に対してリンク部材１８を位置決めするリンク部材位置決め機構を設ける構成としてもよい。図２１（ａ）は、リンク部材位置決め機構の構成を説明するための１つの光源ユニットの側面図、（ｂ）は、その光源ユニットをリンク部材の一部とともに示す平面図、（ｃ）は、その光源ユニットとリンク部材との取り付け構造を示す側面図である。
【００８３】
図２１（ａ）に示すように、各光源ユニット１１の支持基板１１Ａに設けられる貫通孔１１ｆは、リンク部材位置決め機構を設けるために、断面が楕円形に構成されており、貫通孔１１ｆ内に、同様の断面楕円形状の支持軸１６が挿入されて、回転不能に保持されている。支持軸１６の両側の端部は、それぞれ貫通孔１１ｆから延出した状態になっており、それぞれの端部に、長板状に形成された一対のリンク部材１８のそれぞれの一方の端部が取り付けられている。
【００８４】
支持軸１６の各端部には、図２１（ｃ）に示すように、位置決め用円板体１７が回転しない状態でそれぞれ取り付けられている。各位置決め用円板体１７の外周面には、それぞれが円弧上に突出する複数の凸部が所定のピッチで形成されている。それぞれの位置決め用円板体１７には、光源ユニット１１の両側にそれぞれ配置された各リンク部材１８の端部が回動可能に取り付けられている。
【００８５】
リンク部材１８の各端部には、位置決め用円板体１７に嵌合する開口部１８ａがそれぞれ設けられており、開口部１８ａの内周面には、位置決め用円板体１７に設けられた各凸部にそれぞれ係合する凹部が、各凸部と同様のピッチでそれぞれ設けられている。各凹部も、位置決め用円板体１７に設けられた凸部が嵌合状態になるように、円弧状に窪んだ状態になっている。
【００８６】
一対のリンク部材１８の開口部１８ａは、支持軸１６の各端部に取り付けられた位置決め用円板体１７に嵌合されている。この場合、位置決め用円板体１７の各凸部が、各開口部１８ａの内周面に設けられた各凹部内に嵌合されることにより相互に係合状態になっており、これにより、各リンク部材１８が、位置決め用円板体１７に対して位置決めされた状態になっている。
【００８７】
このような状態で、リンク部材１８を、位置決め用円板体１７を中心として回動操作すると、位置決め用円板体１７の外周面に設けられた各凸部は、嵌合状態になった凹部から離脱して、周方向に隣接する凹部に嵌合されて係合状態になる。これにより、リンク部材１８は、所定の角度だけ回動操作されると、位置決め用円板体１７に対して位置決めされた状態になる。
【００８８】
従って、一対のリンク部材１８の両側の端部に取り付けられたそれぞれの光源ユニット１１同士を相互に平行な状態で位置決めすることができるために、光源部１０を、図１７、図１９、図２０に示すそれぞれの状態に確実に維持することができる。これにより、それぞれの状態で、既存の所定の蛍光灯器具のそれぞれに対して、容易に装着することができる。
【００８９】
＜変形例＞
以上、本発明の実施形態について説明したが、本発明は、上記の各実施形態に示された具体例に限定されないことは勿論であり、例えば、口金２０における口金本体部２１内に点灯回路等を設ける構成であったが、蛍光灯器具にＬＥＤ光源１２ａの点灯回路が設けられる場合には、口金本体部２１の内部に点灯回路を設ける必要はない。
【００９０】
また、口金２０に赤外線受光部を設けて、リモートコントローラから照射される赤外線を受光することによって、光源ユニット１１のＬＥＤモジュールから照射される光量を調整するように構成してもよい。
さらに、光源部１０、第１光源部１０Ｘ、第２光源部１０Ｙにおける光源ユニット１１の個数、ＬＥＤモジュール１１Ｂに設けられるＬＥＤ光源１１ａの個数も、上記の各実施形態に限定されるものではなく、目的とする照明用光源装置の仕様、例えば、発光光束、配光特性等に合わせて適宜決定すれば良い。ＬＥＤ光源１１ａの発光色、波長変換部材等についても、特に限定されるものではなく、照明用光源装置の仕様に基づいて、適宜決定すれば良い。さらに、ＬＥＤ光源１１ａに代えて、有機ＥＬ、無機ＥＬ等の発光素子を使用することもできる。
【産業上の利用可能性】
【００９１】
本発明は、ＬＥＤ（Light Emitting Diode）、有機ＥＬ（Electro Luminescence）などの発光素子を光源として使用する照明光源装置において、汎用性を向上させることができるとともに、収納効率を向上させることができる。
【符号の説明】
【００９２】
１０、１０Ｘ、１０Ｙ        光源部
１１        光源ユニット
１１Ａ      支持基板
１１Ｂ      ＬＥＤモジュール
１１ａ      ＬＥＤ光源
１１ｃ      配線基板
１１ｅ      貫通孔
１２        連結ピン
１３      連結部材
１４      リンク部材
１６      支持軸
１７      位置決め用円板体
１８      リンク部材
２０        口金
２１        口金本体部
２１ａ      貫通孔
２２        フランジ部
２３        端子ピン
３０        支持棒
【図１】
2011065873.tif 000003
【図２】
2011065873.tif 000004
【図３】
2011065873.tif 000005
【図４】
2011065873.tif 000006
【図５】
2011065873.tif 000007
【図６】
2011065873.tif 000008
【図７】
2011065873.tif 000009
【図８】
2011065873.tif 000010
【図９】
2011065873.tif 000011
【図１０】
2011065873.tif 000012
【図１１】
2011065873.tif 000013
【図１２】
2011065873.tif 000014
【図１３】
2011065873.tif 000015
【図１４】
2011065873.tif 000016
【図１５】
2011065873.tif 000017
【図１６】
2011065873.tif 000018
【図１７】
2011065873.tif 000019
【図１８】
2011065873.tif 000020
【図１９】
2011065873.tif 000021
【図２０】
2011065873.tif 000022
【図２１】
2011065873.tif 000023